(57)【特許請求の範囲】
【請求項１】
デジタルオーディオミキサを操作するためのミキシングコンソールであって、
デジタルオーディオミキサは、外部から入力されるオーディオ信号が入力される複数の入力チャンネルと、外部に出力するオーディオ信号の音特性を調整して外部に出力する複数の出力チャンネルを備え、オーディオ信号の出力先となる複数のアンプを外部接続できるものであり、
前記ミキシングコンソールは、
それぞれ少なくとも第１操作子と第２操作子を有する複数のチャンネルストリップと、
前記チャンネルストリップの操作対象チャンネルとして出力チャンネルが割り当てられたときに、該チャンネルストリップの前記第１操作子の操作対象パラメータとして、該出力チャンネルの音量レベルを割り当てるとともに、該出力チャンネルに外部接続されている全てのアンプを抽出して提示するチャンネル割り当て手段と、
前記提示された前記アンプの何れかが選択されたときに、該選択されたアンプのアンプゲインを、前記出力チャンネルが割り当てられた前記チャンネルストリップの前記第２操作子の操作対象パラメータとして割り当てるパラメータ割り当て制御手段と
を備え、前記ミキシングコンソール内の同じ前記チャンネルストリップに有る前記第１及び第２操作子の一方を、前記デジタルオーディオミキサ内の前記出力チャンネルでのオーディオ信号の処理のために使用し、他方を、該デジタルオーディオミキサ外のアンプでの前記出力チャンネルから出力されたオーディオ信号の処理のために使用することを特徴とするミキシングコンソール。
【発明の詳細な説明】
【技術分野】
【０００１】
本発明は、デジタルオーディオミキサを操作するためのミキシングコンソールに関する。
【背景技術】
【０００２】
周知の通り、デジタルオーディオミキサ（以下単に「ミキサ」とも言う）において、オペレータは、ミキシングコンソールを操作して、ミキサにおける各種パラメータの値を調整し、ミキサが実行するミキシング信号処理を制御できる。ミキサの出力端子には一般的に外付けアンプが外部接続され、ミキサの出力チャンネル毎の出力信号は外付けアンプに供給される。外付けアンプは、それぞれに設定されたゲイン調整量に従い出力音量レベルを最終的に調整してからミキサの出力信号をスピーカ等の出力先に出力する。外付けアンプのゲイン調整は、一般的に、ミキシングコンソールの操作を行うオペレータとは別の作業者によって行われていた。
【０００３】
下記特許文献１は、パーソナルコンピュータ（ＰＣ）を用いて複数のアンプの調整を一括して行うものである。これによれば、ＰＣのディスプレイに、アンプのコントロール用画面を立ち上げて、コントロール用画面からアンプ毎の各種パラメータの値を調整できた。
【先行技術文献】
【特許文献】
【０００４】
【特許文献１】特開２００９‐１３０５８４号公報
【発明の概要】
【発明が解決しようとする課題】
【０００５】
デジタルオーディオミキサにおいては、ノイズを低減して音質を向上させるために、ミキサの出力チャンネルにおけるデジタル信号に対する出力音量レベル調整と、アンプ側のアナログ信号に対するゲイン調整との双方のバランスをとった調整を行うことが重要である。このため、ミキサの出力チャンネルの出力音量レベル調整と、外付けアンプのゲイン調整とを、一人のオペレータが効率良く行いたいという要望があった。
【０００６】
上記特許文献１等の従来技術では、一人のオペレータがミキサの出力チャンネルの出力音量レベル調整と外付けアンプのゲイン調整とを並行して行おうとすると、アンプ制御用のＰＣとミキシングコンソールとを並べて操作しなければならず、操作が煩雑であった。また、その方法では、例えばどの出力チャンネルがどのアンプに接続されているのか判り難い等、ミキサとアンプの各種設定状況が判り難かった。
【０００７】
本発明は、上記の点に鑑みてなされたもので、ミキサの出力チャンネルの出力音量レベル調整とアンプのゲイン調整とを効率良く簡潔に行えるようにしたミキシングコンソールを提供することを目的とする。
【課題を解決するための手段】
【０００８】
この発明は、デジタルオーディオミキサを操作するためのミキシングコンソールであって、デジタルオーディオミキサは、外部から入力されるオーディオ信号が入力される複数の入力チャンネルと、外部に出力するオーディオ信号の音特性を調整して外部に出力する複数の出力チャンネルを備え、オーディオ信号の出力先となる複数のアンプを外部接続できるものであり、前記ミキシングコンソールは、それぞれ少なくとも第１操作子と第２操作子を有する複数のチャンネルストリップと、前記チャンネルストリップの操作対象チャンネルとして出力チャンネルが割り当てられたときに、該チャンネルストリップの前記第１操作子の操作対象パラメータとして、該出力チャンネルの音量レベルを割り当てるとともに、該出力チャンネルに外部接続されている全てのアンプを抽出して提示するチャンネル割り当て手段と、前記提示された前記アンプの何れかが選択されたときに、該選択されたアンプのアンプゲインを、前記出力チャンネルが割り当てられた前記チャンネルストリップの前記第２操作子の操作対象パラメータとして割り当てるパラメータ割り当て制御手段とを備え、前記ミキシングコンソール内の同じ前記チャンネルストリップに有る前記第１及び第２操作子の一方を、前記デジタルオーディオミキサ内の前記出力チャンネルでのオーディオ信号の処理のために使用し、他方を、該デジタルオーディオミキサ外のアンプでの前記出力チャンネルから出力されたオーディオ信号の処理のために使用することを特徴とするミキシングコンソールである。
【発明の効果】
【０００９】
本発明によれば、チャンネルストリップの１つの操作子を使って出力チャンネルの音量レベルを調整でき、それと同時に、そのチャンネルストリップの他の１つの操作子を使って外付けアンプのアンプゲインを調整できる。そのため、一人のオペレータが、出力チャンネルの音量レベルとアンプのゲインとのバランスのとれた調整を、効率よく、簡潔に、無理なく行うことができるようになる。
【図面の簡単な説明】
【００１０】
【図１】本発明のミキシングコンソールを適用したデジタルオーディオミキサの構成例を示すブロック図。
【図２】図１のデジタルオーディオミキサにおける信号処理構成を説明するブロック図。
【図３】出力チャンネルテーブの一例を示す図。
【図４】図１のデジタルオーディオミキサにおけるオーディオ信号の通信路と制御信号の通信路を説明するブロック図。
【図５】出力ポートテーブルの一例を示す図。
【図６】ミキシングコンソールの操作パネル構成例を説明する図。
【図７】チャンネルストリップの操作対象チャンネルを変更する処理のフローチャート。
【図８】図６のディスプレイに表示される出力チャンネル基本画面を説明する図。
【図９】図８の出力チャンネル基本画面にアンプアイコンを表示した様子を説明する図。
【図１０】ノブ操作子の操作対象パラメータを変更する処理のフローチャート。
【図１１】ノブ操作子を使ってパラメータの値を調整する処理のフローチャート。
【発明を実施するための形態】
【００１１】
以下に、本発明に係るミキシングコンソールの一実施形態について添付図面を参照して説明する。
【００１２】
図１は、デジタルオーディオミキサ（「デジタルミキサ」又は、単に「ミキサ」とも言う）の電気的ハードウェア構成を示すブロック図である。デジタルミキサ１は、ＣＰＵ（Central Processing Unit、中央処理装置）１０、フラッシュメモリ１１、ＲＡＭ（Random Access Memory、ランダムアクセスメモリ）１２、波形入出力インターフェース（波形Ｉ／Ｏ）１３、信号処理部（ＤＳＰ（Digital Signal Processing）部）１４、操作子１５、電動フェーダ１６、表示器１７、及び、その他Ｉ／Ｏ１８を備え、各構成要素がバスライン１９を介して接続される。
【００１３】
ＣＰＵ１０は、フラッシュメモリ１１又はＲＡＭ１２に記憶された制御プログラムを実行して、デジタルミキサ１の全体動作を制御する。フラッシュメモリ１１は、ＣＰＵ１０が実行する各種のプログラムや各種のデータなどを格納した不揮発性メモリである。フラッシュメモリ１１には、ミキシング信号処理に用いる全てのパラメータの現在の設定値（カレントデータ）を記憶したカレントメモリがある。また、後述する出力チャンネルテーブル及び後述する出力ポートテーブルを含むオーディオ信号の通信路を規定するデータや、各ｃｈストリップに設定されている操作対象チャンネルなどミキサ１における各種設定データも記憶する。ＲＡＭ１２は、ＣＰＵ１０が実行するプログラムのロード領域やワーク領域に使用する揮発性メモリである。
【００１４】
波形Ｉ／Ｏ１３は、オーディオ信号を入出力するためのインターフェースであり、図中の矢印で示すように、アナログオーディオ信号を入力する複数の入力ポート、アナログオーディオ信号を出力する複数の出力ポート、及び、デジタルオーディオ信号を入出力するデジタル入出力（複数の入力ポート及び複数の出力ポート）を含む。波形Ｉ／Ｏ１３は、さらに、アナログデジタル変換（ＡＤ変換）、デジタルアナログ変換（ＤＡ変換）、及びデジタル変換（フォーマット変換）を行うための機構を含む。
【００１５】
ＤＳＰ部１４は、ＣＰＵ１０の指示に基づいて各種のマイクロプログラムを実行することにより、カレントメモリに記憶された各種のパラメータのカレントデータに基づいて、波形Ｉ／Ｏ１３経由で外部機器から入力されたオーディオ信号に対して、オーディオミキシングに関する各種の信号処理を行い（本明細書ではこの信号処理を「ミキシング信号処理」と呼ぶ）、処理後のオーディオ信号を波形Ｉ／Ｏ１３経由で外部機器へ出力する。なお、前記各種信号処理とはオーディオ信号の音量レベル制御、複数のオーディオ信号のミキシング、オーディオ信号への効果付与等である。
【００１６】
操作子１５、電動フェーダ１６、及び表示器１７は、ミキサ１の操作卓（ミキシングコンソール）の操作パネル上に設けられたユーザインターフェースである。表示器１７は、例えばタッチパネル式液晶ディスプレイにより構成され、ＣＰＵ１０からバス１９を介して与えられた表示制御信号に基づいて各種画面を表示できる。操作子１５は、後述するノブ操作子等を含む操作パネル上に配置された操作子群である。電動フェーダ１６は、フェーダ型の操作子であり、ユーザが操作できるとともに、ＣＰＵ１０から与えられる駆動制御信号に基づいて操作位置が自動制御される。ＣＵＰ１０は、操作子１５、電動フェーダ１６及びタッチパネル式ディスプレイ１７の操作に応じて、カレントデータを調整する。「カレントデータを調整する」とは、カレントメモリに記憶されている当該操作に該当するパラメータのカレントデータを、当該操作に応じた値に変更し、変更後の値をＤＳＰ部１４や表示器１７へ反映することである。
【００１７】
その他Ｉ／Ｏ１８は、例えばＲＳ−４２２、ＵＳＢ（universal serial bus）、或いは、Ethernet（登録商標）規格など、周知の複数の汎用インターフェースを含み、図中の矢印で示すように、後述する外付けアンプや外付けヘッドアンプとの間で制御信号の通信を行う。
【００１８】
図２は、図１のミキサ１におけるミキシング信号処理の構成を説明するブロック図である。図２に示す各部の動作は、主にＣＰＵ１０の処理及びＤＳＰ部１４が実行するマイクロプログラムの処理により実現される。
【００１９】
アナログ入力部（Ａ入力）２０及びデジタル入力部（Ｄ入力）２１は、波形Ｉ／Ｏ１３が実行するオーディオ信号の入力、ＡＤ変換、フォーマット変換などのオーディオ信号入力機能に相当する。入力パッチ２２は、ユーザの指定に基づいて、Ａ入力２０とＤ入力２１に複数ずつ設けられている入力ポートそれぞれを、後段の入力ｃｈ２３のいずれか１つの入力ｃｈに割り当てる。すなわち、入力パッチ２２では、１つの入力ｃｈに対して１つの入力ポートのみ割り当てる。なお、本明細書では「チャンネル」を「ｃｈ」と表記する。
【００２０】
入力ｃｈ２３は、６４個の入力ｃｈ（ｃｈ１〜ｃｈ６４）を持つ。各入力ｃｈは、入力パッチ２２を介して接続された１つの入力ポートから入力されるオーディオ信号に対して、カレントデータに基づき各種の信号処理を行い、信号処理後のオーディオ信号をＭＩＸバス２４及びステレオバス２５のうちの任意の１又は複数のバスへ出力する。
【００２１】
１６本あるＭＩＸバス２４（ＭＩＸ１〜１６）のそれぞれは、入力ｃｈ部２３から供給されたオーディオ信号をミキシングし、ミキシング後のオーディオ信号をＭＩＸ出力ｃｈ２６へ出力する。２本のステレオバス２５（ＳＴ  Ｌ，ＳＴ  Ｒ）のそれぞれは、入力ｃｈ部２３から供給されたオーディオ信号をミキシングして、ミキシング後のオーディオ信号をステレオ出力ｃｈ２７へ出力する。
【００２２】
ＭＩＸ出力ｃｈ２６は、１６本のＭＩＸバス２４のそれぞれに対応する１６個のＭＩＸ出力ｃｈ（ｃｈ１〜ｃｈ１６）を持つ。各ＭＩＸ出力ｃｈ２６は、対応するＭＩＸバス２４から入力されるオーディオ信号に対して、カレントデータに基づき、ＥＱ、コンプレッサ、出力音量レベル、及びｃｈオン・オフ等の各種の信号処理を行い、信号処理後のオーディオ信号を出力パッチ３０又はＭＡＴＲＩＸバス２８へ出力する。８本あるＭＡＴＲＩＸバス２８（ＭＡＴＲＩＸ１〜８）のそれぞれは、ＭＩＸ出力ｃｈ２６から供給されたオーディオ信号をミキシングし、ミキシング後のオーディオ信号をＭＡＴＲＩＸ出力ｃｈ部２９へ出力する。
【００２３】
ステレオ出力ｃｈ２７（ＳＴ出力ｃｈ）は、ステレオバス２５のそれぞれに対応して、２個のｃｈ（Ｌｃｈ，Ｒｃｈ）を持ち、対応するステレオバス２５から入力されるオーディオ信号に対して、カレントデータに基づき、ＥＱ、コンプレッサ、出力音量レベル、及びｃｈオン・オフ等の各種の信号処理を行い、信号処理後のオーディオ信号を出力パッチ３０へ出力する。
【００２４】
また、ＭＡＴＲＩＸ出力ｃｈ２９（ＭＡＴＲＩＸ出力ｃｈ）は、８本のＭＡＴＲＩＸバス２８のそれぞれに対応する８個のＭＡＴＲＩＸ出力ｃｈ（ｃｈ１〜ｃｈ８）を持ち、対応するＭＡＴＲＩＸバス２８から入力されるオーディオ信号に対して、カレントデータに基づき、ＥＱ、コンプレッサ、出力音量レベル、及びｃｈオン・オフ等の各種の信号処理を行い、信号処理後のオーディオ信号を出力パッチ３０へ出力する。
【００２５】
本明細書では、ＭＩＸ出力ｃｈ２６、ＳＴ出力ｃｈ２７及びＭＡＴＲＩＸ出力ｃｈ２９の出力系ｃｈを総称して、「出力ｃｈ」と呼ぶ。これら出力ｃｈは、いずれも、出力パッチ３０を介して出力ポートに接続され、出力ポートを介してアンプに外部接続される可能性がある。すなわち、出力ｃｈは外部接続されたアンプへ送出するオーディオ信号の音特性の調整を行うｃｈである。
【００２６】
出力パッチ３０は、ユーザの指定に基づいて、各出力ｃｈ２６、２７及び２９を、それぞれ、アナログ出力部（Ａ出力）３１とデジタル出力部（Ｄ出力）３２に複数ずつ設けられている出力ポートのうち任意の１又は複数の出力ポートに割り当てる。Ａ出力３１及びＤ出力３２は、波形Ｉ／Ｏ１３が実行するオーディオ信号のＤＡ変換、フォーマット変換、出力などのオーディオ信号出力機能に相当する。Ａ出力３１及びＤ出力３２に複数ずつ設けられている出力ポートのそれぞれに、外付けのアンプを外部接続できる。
【００２７】
出力パッチ３０の設定、すなわち出力ｃｈと出力ポートの接続状況は、出力ｃｈテーブル３３（出力パッチデータ）により規定される。図３は、出力ｃｈテーブル３３の構成を示す。出力ｃｈテーブル３３は、ミキサ１に備わる全出力ｃｈ（１６本のＭＩＸ出力ｃｈ２６、２本のＳＴ出力ｃｈ２７、及び、８本のＭＡＴＲＩＸ出力ｃｈ２９）と、全出力ポート（Ａ出力３１及びＤ出力３２）との接続状況を記録している。各出力ｃｈは、例えば出力ｃｈ番号や出力ｃｈ名により特定される（「ＭＩＸ出力ｃｈ１」、「ＭＩＸ出力ｃｈ２」・・・）。また、各出力ポートは、例えば出力ポート番号や出力ポート名により特定される（「出力ポート１」、「出力ポート２」・・・）。
【００２８】
オペレータは、ミキシングコンソール２を使って手動で、所望の出力ｃｈ毎に接続先となる所望の１又は複数の出力ポートを指定して、所望の出力ｃｈテーブル３３を作成できる。作成された出力ｃｈテーブル３３はフラッシュメモリ１１に記憶される。オペレータは、出力ｃｈと出力ポートの接続設定においては、１つの出力ｃｈに対して複数の出力ポートをパラレルに接続できる。その反対に複数の出力ｃｈを１つの出力ポートに接続することはできない。例えば、図３の出力ｃｈテーブル３３では、１つのＭＩＸ出力ｃｈ１に対して、３つの出力ポート（「出力ポート１」、「出力ポート３」及び「出力ポート５」）を接続するようになっている。
【００２９】
図４は、図１のミキサ１と、ミキサ１に外部接続されたヘッドアンプ（マイクＨＡ）４，５、及び、ミキサ１に外部接続されたアンプ（スピーカＡＭＰ）６，７，８の間のオーディオ信号及び制御信号の通信路を説明するブロック図である。実線で示すオーディオ信号の通信路はオーディオケーブルを用いて配線される。点線で示す制御信号の通信路は制御信号用ケーブルを用いて配線される。なお、例えばＥｔｈｅｒｅｎｅｔ（登録商標）規格に準拠する１本のネットワークケーブルを用いてオーディオ信号と制御信号を通信する構成を採用してもよい。
【００３０】
図４において、ミキサ１の構成を、ミキシングコンソール２とミキシングエンジン３とに分けて描いている。ミキシングコンソール２は、図１のＣＰＵ１０、フラッシュメモリ１１、ＲＡＭ１２、波形Ｉ／Ｏ１３、操作子１５、電動フェーダ１６、表示器１７及びその他Ｉ／Ｏ１８に相当しており、その他Ｉ／Ｏ１８を介して、ヘッドアンプ４、５及びアンプ６，７及び８との間で制御信号を通信可能に接続される。ミキシングエンジン３（ＤＳＰ）は、図１の波形Ｉ／Ｏ１３及び信号処理部１４に相当しており、波形Ｉ／Ｏ１３の入力ポート２０，２１を介してヘッドアンプ４、５に外部接続され、且つ、波形Ｉ／Ｏ１３の出力ポート３１，３２を介してアンプ６，７，８に外部接続される。
【００３１】
ヘッドアンプ４、５は、それぞれ、アナログオーディオ信号のレベルを制御するヘッドアンプゲインを備えたマイクヘッドアンプであり、マイク等の入力源から入力されたアナログオーディオ信号をゲイン調整してミキシングエンジン３に供給する（図４において実線Ａ１）。ミキシングコンソール２は、オペレータによる操作に応じて、ヘッドアンプ４、５のヘッドアンプゲインを制御する制御信号をヘッドアンプ４、５に供給し（図４において点線Ｃ１）、ヘッドアンプ４、５のヘッドアンプゲインをリモート制御できる。
【００３２】
ミキシングコンソール２は、ミキシング信号処理（図２の入力パッチ２２から出力パッチ３０までの各種信号処理）に関する、オペレータによる各種操作に応じた+制御信号をミキシングエンジン３に供給する（図４において点線Ｃ２）。ミキシングエンジン３は、ミキシングコンソール２から与えられた制御信号に従い、ヘッドアンプ４、５から入力されたオーディオ信号に対してミキシング信号処理を実行し、処理後のオーディオ信号を、アンプ６，７及び８に送出する（図４において実線Ａ３）。なお、ミキシングエンジン３からミキシングコンソール２にオーディオ信号を出力して（図４において実線Ａ２）、オペレータがミキシングコンソール２にて該オーディオ信号をモニタできるようになっている。
【００３３】
アンプ６，７及び８は、それぞれ、アナログオーディオ信号のレベルを制御するアンプゲインを備えており、それぞれ、ミキシングエンジン３から入力されたオーディオ信号（の音量レベル）を、アンプゲインの値に従って最終調整してスピーカに出力する。ミキシングコンソール２は、オペレータによる操作に応じて、アンプ６，７及び８のアンプゲインを制御する制御信号をアンプ６，７及び８に供給し（図４において点線Ｃ３）、アンプ６，７及び８のアンプゲインの値をリモート制御できる。
【００３４】
出力ポートと外付けアンプとの接続状況は、図５に示す出力ポートテーブルに記録される。出力ポートテーブル３４は、ミキサ１に備わる全出力ポート（Ａ出力３１及びＤ出力３２）とアンプの接続状況を記録している。各出力ポートは例えば出力ポート番号や出力ポート名により特定される（「出力ポート１」、「出力ポート２」・・・）。各アンプは、例えばアンプ名や、アンプのＩＤ番号、及び、そのアンプが内蔵している個々のｃｈの識別子により特定される（「スピーカＡＭＰ１（Ｌ）」、「スピーカＡＭＰ１（Ｒ）」、「スピーカＡＭＰ２（Ｌ）」、「スピーカＡＭＰ２（Ｒ）」・・・）。例えば「スピーカＡＭＰ１（Ｌ）」と「スピーカＡＭＰ１（Ｒ）」は、１つの筐体（スピーカＡＭＰ１）に内蔵しているｃｈ（Ｌ）とｃｈ（Ｒ）をそれぞれ特定している。
【００３５】
アンプ名やアンプのＩＤ番号は、ミキシングコンソール２において個々のアンプに設定した情報であってもよいし、或いは、各アンプに予め記憶されている各アンプに固有の識別情報などを利用もよい。また、アンプ６，７，８をＥｔｈｅｒｅｎｅｔ（登録商標）規格等のネットワークを介してミキシングコンソール２に接続する場合には、アンプを特定する情報として、アンプのネットワークアドレス（ＩＰアドレスやＭＡＣアドレス）を利用できる。
【００３６】
オペレータは、ミキシングコンソール２を使って手動で出力ポート毎に接続先となるアンプを指定して、出力ポートテーブル３４を作成できる。作成された出力ポートテーブル３４はフラッシュメモリ１１に記憶される。なお、出力ポートテーブル３４は、各出力ポートの接続先となるアンプを記録したものであればよく、接続先となるアンプが実際にミキサと接続されているか否かは問わない。そのため、実際にミキサと接続されているアンプ以外に、実際にはミキサに接続されていないアンプを接続先として指定することもできる。
【００３７】
図６は、ミキシングコンソール２の操作パネルの構成例である。操作パネルには、ディスプレイ４０と、３つのｃｈストリップ部４１、４２及び４３（ｃｈストリップ部♯１、ｃｈストリップ部♯２及びｃｈストリップ部♯３）と、セレクテッドｃｈ画面ディスプレイ４４と、セレクテッドｃｈ操作子部４５と、レイヤ選択スイッチ４６（レイヤＳＷ）が設けられている（図１の操作子１５、電動フェーダ１６、表示器１７に相当）。セレクテッドｃｈ画面ディスプレイ４４とセレクテッドｃｈ操作子部４５は、オペレータに選択された１ｃｈに関する詳細なパラメータの表示と調整に用いる。
【００３８】
各ｃｈストリップ部４１〜４３は、それぞれ、８本のｃｈストリップ４７からなる。１つのｃｈストリップ４７には、電動フェーダ１６（第１操作子）とノブ操作子４８（第２操作子）を含む複数の物理操作子が設けられている。電動フェーダ１６とノブ操作子４８は、それぞれ、操作対象パラメータとして割り当てられたパラメータのカレントデータを調整する。
【００３９】
１２個のレイヤＳＷ４６（「Ｌ１」、「Ｌ２」、「Ｌ３」・・・「Ｌ１２」）は、第１ｃｈストリップ部４１の８つのｃｈストリップ４７の操作対象ｃｈを一括して選択するスイッチである。各レイヤＳＷ４６には、それぞれ、複数本のｃｈからなるｃｈグループが設定される。ｃｈグループのグループ分けは、１２個のレイヤＳＷ４６によりミキサ１に具わる全ｃｈ（６４本の入力ｃｈ２３、１６本のＭＩＸ出力ｃｈ２６、２本のＳＴ出力ｃｈ２７及び８本のＭＡＴＲＩＸ出力ｃｈの９０本）を網羅でき、且つ、グループ相互間でｃｈが重複しないように、更に、１つのグループに異なる種類のｃｈが混在しないように行われる。
【００４０】
ディスプレイ４０は、図１の表示器１７に相当しており、基本的には第１ｃｈストリップ部４１に割り当てられたｃｈに関する基本画面を表示する。図６では、第１ｃｈストリップ部４１に入力ｃｈが割り当てられているときにディスプレイ４０に表示される入力ｃｈ基本画面５００を表示した状態を示す。第１ｃｈストリップ部４１に出力ｃｈが割り当てられているときは、ディスプレイ４０には後述の出力ｃｈ基本画面が表示される。
【００４１】
入力ｃｈ基本画面５００は、第１ｃｈストリップ部４１と同数、且つ、同配列で、８つのｃｈストリップ４７に対応する８つのｃｈ領域５０を配置し、各ｃｈ領域５０に、対応するｃｈストリップ４７の操作対象ｃｈの入力ｃｈに関する各種情報を簡易表示する。具体的には、図において上から順に、最上段に、その入力ｃｈをｃｈ名前やｃｈ番号で特定するｃｈ名５１がある。続く３つのマスに当該入力ｃｈに設定されているエフェクタの設定状態を簡易表示し、且つ、そのエフェクタの詳細設定用ポップアップウィンドウを表示させるスイッチとして機能するエフェクタアイコン５２がある。エフェクタは例えばＥＱやコンプレッサなどである。その下に、当該入力ｃｈから対応するＭＩＸバス２４へのセンドレベルの設定状態を簡易表示し、且つ、ｃｈストリップ４７のノブ操作子４８の操作対象パラメータとして、そのセンドレベルを割り当てるスイッチとして機能する１６個のセンドレベルアイコン５３がある。
【００４２】
次に、オペレータのミキシングコンソール操作と、その操作に応じた処理について説明する。
オペレータは、レイヤＳＷ４６のいずれか１つを押すことで、第１ｃｈストリップ部４１の８つのｃｈストリップ４７の操作対象ｃｈの変更を指示できる。ミキサ１のＣＰＵ１０は、レイヤＳＷ４６のいずれか１つの操作を検出したとき、図７の操作対象ｃｈを変更する処理を起動する。
【００４３】
ステップＳ１において、ＣＰＵ１０は、操作されたレイヤＳＷ４６のｃｈグループに属するｃｈ群を第１ｃｈストリップ部４１の８つのｃｈストリップ４７の新たな操作対象ｃｈとして設定し、当該ｃｈグループに属するｃｈを１つずつ、該８つのｃｈストリップ４７に割り当てる。例えば、「Ｌ１」を押すと、第１ｃｈストリップ部４１の各ｃｈストリップ４７には、左端から右に向かって順次、「Ｌ１」に属する「入力ｃｈ１」、「入力ｃｈ２」・・・「入力ｃｈ８」が１つずつ割り当てられる。また、例えば、「Ｌ９」を押すと、第１ｃｈストリップ部４１の各ｃｈストリップ４７には、左端のから右に向かって順次、「Ｌ９」に属する「ＭＩＸ出力ｃｈ１」、「ＭＩＸ出力ｃｈ２」、・・・「ＭＩＸ出力ｃｈ８」が割り当てられる。
【００４４】
ステップＳ２において、ＣＰＵ１０は、第１ｃｈストリップ部４１の各ｃｈストリップ４７の各操作子に操作対象パラメータを割り当てる。操作子毎の操作対象パラメータは操作対象ｃｈの種類に応じて予め規定されている。例えば、操作対象ｃｈが入力ｃｈ２３の場合、電動フェーダ１６に入力ｃｈの入力音量レベルを割り当てて、ノブ操作子４８に１６本のＭＩＸバス２４のうち先頭の「ＭＩＸバス１」へのセンドレベルを割り当てる。他方、操作対象ｃｈがＭＩＸ出力ｃｈ２６の場合には、電動フェーダ１６に出力ｃｈの出力音量レベルを割り当てて、ノブ操作子４８に８本のＭＡＴＲＩＸバス２８のうち先頭の「ＭＡＴＲＩＸバス１」へのセンドレベルを割り当てる。
【００４５】
ステップＳ３において、ＣＰＵ１０は、ディスプレイ４０に、新たな操作対象ｃｈに関する基本画面を表示する。操作対象ｃｈが入力ｃｈ２３の場合には、ディスプレイ４０には入力ｃｈ基本画面５００（図６参照）が表示される。他方、操作対象ｃｈが出力ｃｈ２６，２７，２９の場合には、ディスプレイ４０には出力ｃｈ基本画面が表示される。図８は、出力ｃｈ基本画面の一例として、ＭＩＸ出力ｃｈ２６に関する出力ｃｈ基本画面６００（出力ｃｈにアンプが外部接続されていない場合）を示す。出力ｃｈ基本画面６００は、入力ｃｈ基本画面５００の構成と同様に、第１ｃｈストリップ部４１と同数、同配列で、８つのｃｈストリップ４７に対応する８つのｃｈ領域６０を配置し、各ｃｈ領域６０に、対応するｃｈストリップ４７の操作対象ｃｈの出力ｃｈに関する各種情報を簡易に表示する。各ｃｈ領域６０の表示内容も、基本的には入力ｃｈ基本画面５００と同等であり、図において上から順に、当該出力ｃｈを特定するｃｈ名６１（「ｘｘ１」、「ｘｘ２」、・・・「ｘｘ８」）、当該出力ｃｈのエフェクタのエフェクタアイコン６２、８個のＭＡＴＲＩＸバス２８に対応する８個のセンドレベルアイコン６３を表示する。エフェクタアイコン６２及びセンドレベルアイコン６３の機能は、それぞれ、入力ｃｈ基本画面５００のエフェクタアイコン５２及びセンドレベルアイコン５３と同様である。なお、出力ｃｈ基本画面６００に表示中の出力ｃｈがＳＴ出力ｃｈ２７又はＭＡＴＲＩＸ出力ｃｈ２９の場合、センドレベルアイコン６３は１つも表示されない。  
【００４６】
図７に戻ると、ステップＳ４において、ＣＰＵ１０は新たな８つの操作対象ｃｈに出力ｃｈが含まれるか否かを調べる。この判断は、例えば、当該操作対象ｃｈとして設定されたｃｈ群が出力ｃｈのｃｈグループであるか、又は、前記ステップＳ３で出力ｃｈ基本画面６００を表示したか、又は、当該操作対象ｃｈのいずれかに接続先のアンプをもつものがあるかを調べることにより行う。
【００４７】
新たな操作対象ｃｈに出力ｃｈがある場合（ステップＳ５のＹＥＳ）、ステップＳ６において、ＣＰＵ１０は、新たな操作対象ｃｈに含まれる出力ｃｈ毎に、出力ｃｈテーブル３３に基づいて、その出力ｃｈに接続されている全ての出力ポートを抽出し、また、出力ポートテーブル３４に基づいて、前記抽出された全ての出力ポートについて、出力ポート毎の接続先のアンプ（外部接続されているアンプ、あるいは、外部接続される予定のアンプ）を抽出する。
【００４８】
前記ステップＳ６において接続先のアンプ抽出された場合（ステップＳ７のＹＥＳ）、ＣＰＵ１０は、前記抽出されたアンプのアンプアイコンを作成して、該当するｃｈ領域６０に追加表示する。出力ｃｈの接続先のアンプが複数個ある場合、複数のアンプの全てについて、アンプ毎にアンプアイコンを作成して、該当するｃｈ領域６０に追加表示する。図９は、接続先アンプが存在する場合の出力ｃｈ基本画面６００の表示例である。図９において、アンプを外部接続した出力ｃｈに対応するｃｈ領域６０（図において「ｘｘ１」、「ｘｘ２」、「ｘｘ５」、「ｘｘ６」、「ｘｘ７」及び「ｘｘ８」）には、それぞれ、センドレベルアイコン６３の下側に、当該出力ｃｈの接続先として抽出された全てのアンプのアンプアイコン６４が表示される。例えば、左端のｃｈ領域６０（ｃｈ名「ｘｘ１」）には、３つのアンプアイコン６４（アンプ名「ａｍｐ１（Ｌ）」、「ａｍｐ２（Ｌ）」、及び「ａｍｐ３（Ｌ）」）が縦に並んで表示される。そして、アンプアイコン６４は、それぞれ、アンプ名を表示し、且つ、対応するｃｈストリップ４７のノブ操作子４８の制御対象として、そのアンプのアンプゲインを割り当てるスイッチとして機能する。
【００４９】
出力ｃｈ基本画面６００のｃｈ領域６０毎に、対応する出力ｃｎの接続先のアンプすべてのアンプアイコン６４を表示するので、出力ｃｈの接続先のアンプの数や、どの出力ｃｈにどのアンプが接続されるかといった設定状況が判りやすい。また、出力ｃｈ基本画面６００は、入力ｃｈ基本画面５００に比べて各ｃｈ領域６０に表示すべき情報量が少ないため、ｃｈ領域６０に空きスペースが多い。各ｃｈ領域６０の空きスペースを利用してアンプアイコン６４の表示を行うので、例えば、出力ｃｈ基本画面６００に表示すべき他の情報を削るあるいは、表示レイアウトを大きく変更する等の不利益は生じない。
【００５０】
図７に戻ると、ステップＳ９において、ＣＰＵ１０は、接続先のアンプを持つ出力ｃｈ毎に、その出力ｃｈが持つ接続先のアンプのうち１つを、該出力ｃｈを操作対象ｃｈとしているｃｈストリップ４７のノブ操作子４８の操作対象として選択する。アンプの選択方法は、例えば各アンプの接続元の出力ポートのポート番号の先頭側の１つを選出するなど、適宜のルールに従う。ステップＳ１０において、ＣＰＵ１０は、接続先のアンプを持つ出力ｃｈ毎に、その出力ｃｈを操作対象ｃｈとしているｃｈストリップ４７のノブ操作子４８の操作対象パラメータを、前記ステップＳ９で選択されたアンプのアンプゲインに変更する。
【００５１】
前記ステップＳ６〜Ｓ１０を、新たに選択された操作対象ｃｈに含まれる全出力ｃｈについて行うことで、該操作対象ｃｈのうち接続先のアンプを持つ全ての出力ｃｈについて、出力ｃｈ基本画面６００の該当するｃｈ領域６０に、接続先のアンプ全てのアンプアイコン６４を表示し、且つ、接続先のアンプのうち選択された１つのアンプゲインを、該当するｃｈストリップ４７のノブ操作子４８の操作対象パラメータに割り当てることができる。
【００５２】
オペレータは、ディスプレイ４０に表示された基本画面５００、６００のいずれか１つのｃｈ領域５０、６０で、１つのセンドレベルアイコン５３、６３、又は、１つのアンプアイコン６４を押し、ノブ操作子４８の操作対象パラメータの変更を指示する。ＣＰＵ１０は、ディスプレイ４０の基本画面において、センドレベルアイコン５３、６３、又は、アンプアイコン６４が押されたときに、図１０に示すノブ操作子４８の操作対象パラメータの変更指示に応じた処理を起動する。この処理は、今回変更指示を受け付けたｃｈ領域５０又は６０に対応する１つのｃｈストリップ４７の１つのノブ操作子４８について起動する。
【００５３】
ステップＳ１１において、ＣＰＵ１０は、新たな操作対象パラメータとしてアンプゲインが指示されたか否か判断する。新たな操作対象パラメータがアンプゲインの場合、すなわち出力ｃｈ基本画面６００の１つのｃｈ領域６０でアンプアイコン６４が押されたときには（ステップＳ１１のＹＥＳ）、ＣＰＵ１０は、ステップＳ１２において、ノブ操作子４８の操作対象パラメータを変更する方法が、操作対象パラメータを置換する構成（置換モード）、又は、操作対象パラメータにアンプゲインを追加する構成（追加モード）のいずれに設定されているかを判断する。
【００５４】
置換モード、又は、追加モードを設定するための構成としては、例えば、（１）オペレータが事前にいずれか一方のモードを設定しておく構成、或いは、（２）あらかじめアンプのグループを決めておき、変更指示以前からノブ操作子４８の操作対象パラメータに設定されているアンプゲインと、今回新たに操作対象パラメータに指定されたアンプゲインとが同じグループに含まれるアンプのアンプゲインの場合には追加モードに設定し、同じグループに含まれていない場合は置換モードに設定する構成、などを採用できる。
【００５５】
追加モードの場合（ステップＳ１２のＹＥＳ）、ステップＳ１３において、ＣＰＵ１０は、今回の変更指示を受け付けたｃｈ領域６０に対応するｃｈストリップ４７のノブ操作子４８に設定されている操作対象パラメータ（今回の変更指示以前から設定されている操作対象パラメータ）がアンプゲインであるか調べる。
【００５６】
今回の変更指示以前の操作対象パラメータがアンプゲインの場合（ステップＳ１３のＹＥＳ）、ステップＳ１４において、ＣＰＵ１０は、当該ノブ操作子４８に設定されている全ての既存のアンプゲインを解除せずに操作対象パラメータとして保持したまま、今回新たに指示されたアンプゲイン（今回操作されたアンプアイコン６４に該当する接続先のアンプのアンプゲイン）を、当該ノブ操作子４８の操作対象パラメータに追加して、全ての既存のアンプゲインと新たなアンプゲインとをまとめて、当該ノブ操作子４８の操作対象パラメータとして割り当てる。これにより、１つのノブ操作子４８で１つの出力ｃｈの複数の接続先のアンプのアンプゲインをまとめて調整できるようになる。
【００５７】
なお、追加モードの場合、今回の変更指示以前から設定されている１又は複数のアンプゲインのいずれかを解除できるよう構成してもよい。例えば、既に操作対象パラメータとして設定されているアンプゲインのアンプアイコン６４が押された場合に、そのアンプゲインを操作対象パラメータから解除する構成を採用できる。ただし、その場合でも、今回の変更指示以前から設定されているアンプゲインが１つのみの場合には、そのアンプアイコン６４が押されても、該アンプゲインを操作対象パラメータから解除しないようにするとよい。
【００５８】
置換モードの場合（ステップＳ１２のＮＯ）、ＣＰＵ１０は、ステップＳ１５において、今回変更指示を受け付けたｃｈ領域６０に対応するｃｈストリップ４７のノブ操作子４８に、今回の変更指示以前から設定されている操作対象パラメータを解除して、今回新たに指示されたアンプのアンプゲインを、当該ノブ操作子４８の操作対象パラメータとして割り当てる。
【００５９】
また、追加モードの場合（ステップＳ１２のＹＥＳ）であっても、今回の変更指示以前の操作対象パラメータがアンプゲイン以外の場合（ステップＳ１３のＮＯ）には、ＣＰＵ１０は、ステップＳ１５において、今回変更指示を受け付けたノブ操作子４８に設定されている操作対象パラメータを、今回変更指示されたアンプゲインに置換する。  
【００６０】
ステップＳ１６において、ＣＰＵ１０は、今回の変更指示を受け付けたｃｈ領域６０に対応するｃｈストリップ４７の電動フェーダ１６の操作対象パラメータとして、該ｃｈストリップ４７に操作対象ｃｈとして設定されている出力ｃｈの出力音量レベルパラメータを割り当てる。これにより、ノブ操作子４８に或るアンプのアンプゲインが操作対象パラメータとして設定されたときには、そのノブ操作子４８が属するｃｈストリップ４７の電動フェーダ１６を使って、当該アンプの接続元である出力ｃｈの出力音量レベルを調整できる状態が自動的に設定されることになる。なお、当該ステップＳ１６による電動フェーダ１６に対する出力音量レベルの割り当てを行わない処理構成を採用してもよい。  
【００６１】
他方、今回の変更指示された操作対象パラメータがアンプゲイン以外の場合（ステップＳ１１のＮＯ）、ステップＳ１７において、ＣＰＵ１０は、今回の変更指示を受け付けたノブ操作子４８に設定されている操作対象パラメータを解除して、新たに指示されたパラメータを当該ノブ操作子４８の操作対象パラメータとして割り当てる。入力ｃｈ基本画面５００が表示中の場合は、必ずステップＳ１１をＮＯに分岐する。前記アンプゲイン以外のパラメータは、具体的には、１つのＭＩＸバス２４又はＭＡＴＲＩＸバス２８へのセンドレベルである。ノブ操作子４８の操作対象パラメータとして新たにセンドレベルが割り当てられたとき、当該変更指示を受け付けたｃｈ領域５０又は６０に対応する１つのｃｈストリップ４７のみならず、第１ｃｈストリップ部４１の８つのｃｈストリップ４７全てで一括して、ノブ操作子４８の操作対象パラメータを、今回変更指示されたセンドレベルに置換する。例えば、１つのｃｈ領域５０で「ＭＩＸバス１」へのセンドレベルを押せば、第１ｃｈストリップ部４１の８つのｃｈストリップ４７の全てのノブ操作子４８に「ＭＩＸバス１」へのセンドレベルが割り当てられる。
【００６２】
オペレータは、ノブ操作子４８を使って、そのノブ操作子４８の操作対象パラメータの値（カレントデータ）を調整できる。ＣＰＵ１０は、いずれか１つのノブ操作子４８の操作を受け付けたときに、図１１の操作対象パラメータの値を調整する処理を起動する。この処理は、今回操作を受け付けたノブ操作子４８の操作対象パラメータについて起動する。
【００６３】
操作を受け付けたノブ操作子４８の操作対象パラメータがアンプゲインの場合（ステップＳ１８のＹＥＳ）、ＣＰＵ１０は、ステップＳ１９において、ノブ操作子４８の操作量に応じて新たな値を決定する。新たな値は、今回のノブ操作子４８の操作に応じて、アンプに指示する値である。
【００６４】
ステップＳ２０において、ＣＰＵ１０は、当該ノブ操作子４８の操作対象となる全てのアンプを抽出する。追加モードでは１つのノブ操作子４８の操作対象パラメータとして複数個のアンプのアンプゲインを設定できるので、１つのノブ操作子４８の操作対象となるアンプが複数存在しうる。
【００６５】
ステップＳ２１において、ＣＰＵ１０は、前記ステップＳ２０で抽出された全てのアンプに対して、前記ステップＳ１９で決定された新たな値を反映するよう指示する制御信号を送信する。制御信号を受信した各アンプは、それぞれ、前記制御信号に基づいて、アンプゲインの値に前記新たな値を反映させる。この反映の仕方としては、例えば（１）既存のアンプゲインの値を新たな値に置換する（すなわち、新たな値をアンプゲインの値として設定する）か、又は（２）既存のアンプゲインの値を新たな値だけ増減する（すなわち、新たな値に応じて既存の値を相対的に増減する）が考えられる。反映の仕方として前記のいずれの方法を採用してもよい。これにより、オペレータはミキシングコンソール２のノブ操作子４８の操作によってアンプのアンプゲインの値を調整（リモート制御）できる。
【００６６】
他方、操作を受け付けたノブ操作子４８の操作対象パラメータがアンプゲイン以外の場合（ステップＳ１８のＮＯ）、ＣＰＵ１０は、ステップＳ２２において、ＲＡＭ１２に記録されている当該操作対象パラメータの値（カレントデータ）をノブ操作子４８の操作量に応じた値に更新する。入力ｃｈ基本画面５００が表示中の場合は、必ずステップＳ１８をＮＯに分岐する。
【００６７】
ノブ操作子４８以外のｃｈストリップ４７の操作子を使ってパラメータの値を調整するときの処理は図示省略したが、その動作は、操作された操作子に操作対象パラメータとして割り当てられているパラメータの値を、その操作の操作量に応じて変更するというものである。例えば、或るｃｈストリップ４７の電動フェーダ１６が操作されたときには、ＣＰＵ１０は、その操作量に相当する値だけ、当該電動フェーダ１６が操作対象としているｃｈの、操作対象としてるパラメータ、例えば、或る入力ｃｈの入力音量レベルや或る出力ｃｈの出力音量レベル、の値（ＲＡＭ１２のカレントデータ）を調整する。
【００６８】
なお、図９の各ｃｈ領域６０に、個別にアンプを選択するアンプアイコン６４とともに、全てのアンプを一括して選択できるアイコン（オールセレクトアイコン）を配置する構成を採用してもよい。前記全てのアンプとは、図７のステップＳ６で抽出される、１つの出力ｃｈに対する全ての接続先のアンプである。この構成の場合、図７のステップＳ８において、アンプ毎のアイコン６４とともに、オールセレクトアイコンも、図９のｃｈ領域６０へ表示する。オールセレクトアイコンが操作された場合、図１０のステップＳ１２でＮＯ（置換モード）と判断し、ステップＳ１５において、今回の変更指示以前からノブ操作子４８に設定されている操作対象パラメータを解除して、その出力ｃｈについて抽出された全ての接続先のアンプのアンプゲインを、まとめて（一括して）、当該ノブ操作子４８の操作対象パラメータとして設定する。
【００６９】
なお、アンプゲインをノブ操作子４８の操作対象パラメータに割り当てる構成に限らず、アンプに備わる他のパラメータをノブ操作子４８の操作対象パラメータに割り当てる構成でもよい。また、ノブ操作子４８以外の操作子（例えば電動フェーダ１６）にアンプのアンプゲイン等のパラメータを割り当てる構成でもよい。例えば、アンプゲインを操作する操作子（第２操作子）として、ノブ操作子４８ではなく、電動フェーダ１６を使う構成を採用できる。この構成の場合、一例として、電動フェーダ１６には操作上限位置と操作下限位置があることを考慮して、電動フェーダ１６の操作量を、アンプゲインの絶対値としてアンプに伝えるのではなく、アンプゲインの相対的な変更量としてアンプに送信するとよい。アンプは受信した操作量（変更量）だけアンプゲインの値を増減する。また、電動フェーダ１６にアンプゲインを設定したタイミングで、電動フェーダ１６のつまみ位置を自動的にノミナル位置へ移動させておくとよい。前記タイミングは例えば、図１０の処理が起動されるタイミングであり、図１０のステップＳ１６の後に、電動フェーダ１６のつまみ位置を自動的にノミナル位置へ移動するステップを設けるとよい。更に、この場合、その出力ｃｈの音量レベルをノブ操作子４８へ設定するようにして、アンプゲインと音量レベルの両方を、同じｃｈストリップ４７に属する別の操作子を使って同時並行的に操作できるようにしておく。
【００７０】
接続先のアンプが実際に接続されているか否かに応じて、アンプアイコン６４の表示態様が変更される構成を採用してもよい。実際に接続されているアンプについては、そのアンプアイコン６４を通常表示態様（通常の選択状態の態様又は通常の非選択状態の態様）で表示する。他方、実際には接続されていないアンプは、そのアンプアイコン６４を通常表示とは異なる表示態様で表示する。例えば、グレイアウトで表示する構成を採用できる。あるいは、実際には接続されていないアンプのアンプアイコン６４を表示しない構成を採用してもよい。実際にアンプが接続されているか否かは、例えば、図７のステップＳ６でアンプを抽出するときに、確認できる。その確認の方法としては、例えば、出力ポートテーブル３４を参照して、接続先のアンプがあるとき、そのアンプに対して確認のための制御信号を送信し、アンプから応答があれば実際に接続されているものと判断し、該応答がなければ接続されていないと判断する。
【００７１】
また、ミキサ１をリモート制御するパーソナルコンピュータ（ＰＣ）を使って、出力ｃｈの出力音量レベル調整と、外部接続されたアンプのアンプゲイン調整とを行う構成、すなわちＰＣのディスプレイに図８の出力ｃｈ基本画面６００を表示し、ＰＣのユーザインターフェースを使って、出力ｃｈの出力音量レベル調整とアンプのアンプゲイン調整とを行う構成でもよい。
【００７２】
また、上記実施例では、ミキサ１がミキシングコンソール２の機能とミキシングエンジン３の機能を備える構成を説明したが、ミキシングコンソール２とミキシングエンジン３がそれぞれ独立した装置であるミキシングシステムに本発明を適用してもよい。
【符号の説明】
【００７３】
１  デジタルオーディオミキサ、２  ミキシングコンソール、３  ミキシングエンジン、４，５  ヘッドアンプ、６，７，８  アンプ、１０  ＣＰＵ、１１  フラッシュメモリ、１２  ＲＡＭ、１３  波形Ｉ／Ｏ、１４  信号処理部、１５  操作子、１６  電動フェーダ、１７  表示器、１８  その他Ｉ／Ｏ、１９  バスライン、２０，２１  入力ポート、２２  入力パッチ、２３  入力チャンネル、２４  ＭＩＸバス、２５  ステレオバス、２６  ＭＩＸ出力チャンネル、２７  ステレオ出力チャンネル、２８  ＭＡＴＲＩＸバス、２９  ＭＡＴＲＩＸ出力チャンネル、３０  出力パッチ、３１，３２  出力ポート、３３  出力ｃｈテーブル、３４  出力ポートテーブル、４０  ディスプレイ、４１〜４３  チャンネルストリップ部、４６  レイヤ選択スイッチ、４７  チャンネルストリップ、４８  ノブ操作子、５０，６０  チャンネル領域、５１，６１  チャンネル名、５２，６２  エフェクタアイコン、５３，６３  センドレベルアイコン、６４  アンプアイコン、５００  入力チャンネル基本画面、６００  出力チャンネル基本画面
【図１】
0005830900.tif 000002
【図２】
0005830900.tif 000003
【図３】
0005830900.tif 000004
【図４】
0005830900.tif 000005
【図５】
0005830900.tif 000006
【図６】
0005830900.tif 000007
【図７】
0005830900.tif 000008
【図８】
0005830900.tif 000009
【図９】
0005830900.tif 000010
【図１０】
0005830900.tif 000011
【図１１】
0005830900.tif 000012